(57)【要約】      （修正有）【課題】多様な口径に対応できるストーマベルトを提供する。【解決手段】ベルトの円形開口部の円周縁と該ベルトの長手方向側端との間に切り込みを構成し、該切り込み部を覆う様に、切り込み部の片側より舌状の接続片を形成し、舌状の接続片と切り込み部の反対側ベルト部材とが面ファスナーにより密着することを特徴とする。【選択図】図３
0003153484.tif 000002
【実用新案登録請求の範囲】
【請求項１】
ベルトの円形開口部の円周縁と該ベルトの長手方向側端との間に切り込みがあることを特徴とするストーマベルト。
【請求項２】
請求項１に記載のベルトであって、
切り込み部を覆う様に、切り込み部の片側より舌状の接続片が形成されていることを特徴とするストーマベルト。
【請求項３】
請求項２に記載のベルトであって、
舌状の接続片と切り込み部の反対側ベルト部材とが面ファスナーにより密着することを特徴とするストーマベルト。
【請求項４】
ストーマ保持のための円形開口部が二つのベルト構成部品の重ね合わせにより形成されることを特徴とするストーマベルト。
【請求項５】
請求項４に記載のベルトであって、
二つのベルト構成品の重ね合わせ部が面ファスナーにより密着することを特徴とするストーマベルト。
【考案の詳細な説明】
【技術分野】
【０００１】
本考案は、人口肛門、人口膀胱のストーマ（開口部）の保護、固定用のベルトに関する。
【背景技術】
【０００２】
ストーマの口径は、ストーマの目的・種類により６ｃｍ、７ｃｍ、８ｃｍ等があり、使用者はストーマ購入に際し、口径を指定して、購入使用している（非特許文献１）。
【非特許文献１】http://www.stoma-belt.jp/shopping/?pid=1220498776-544254  の最下部
【考案の開示】
【考案が解決しようとする課題】
【０００３】
しかしながら、患者さんの状態によって、口径の異なるストーマに取り換えた場合、あるいは購入時の誤りにより口径が合わないストーマベルトを購入してしまったような場合には、別途新規にストーマベルトを購入しなければならにという課題があった。
【０００４】
本考案は上記事情に鑑み、なされたものであり、その目的は、多様な口径に対応できるストーマベルトを提供することにある。
【課題を解決するための手段】
【０００５】
上記課題を解決するため、本考案では、ベルトの円形開口部の円周縁と該ベルトの長手方向側端との間に切り込みを構成し、該切り込み部を覆う様に、切り込み部の片側より舌状の接続片を形成し、舌状の接続片と切り込み部の反対側ベルト部材とが面ファスナーにより密着することを特徴とするストーマベルトを提供する。
【考案の効果】
【０００６】
本考案によるストーマベルトの円形開口部の口径を例えば７ｃｍとすると、口径７ｃｍのストーマには何ら支障のないことは言うまでもないが、口径８ｃｍのストーマに対しては、円形開口部は切り込み部の分やや広くなり、正確な円形ではなくなるが、舌状の接続片が十分に長いので、ストーマをベルト開口部にきちんと納め、保持することができる。
【０００７】
また、逆に口径６ｃｍのストーマに対しては、円形開口部はやや大きく遊びがあるが、舌状の接続片を強制的に切り込み部反対側に引っ張りながら面接着することにより、円形開口部は、切り込み部の分やや狭くなり、正確な円形ではなくなるが、ストーマをベルト開口部にきちんと納め、保持することができる。
【０００８】
このように多様な口径のストーマに対して、本考案のストーマベルトであれば、一種類でどのストーマをもしっかりと保持できるので、ストーマの口径が合わなくなったときにも買い替え等の余分な負担が無いという効果がある。
【考案を実施するための最良の形態】
【０００９】
以下実施例によって、最良の形態について説明する。
【実施例１】
【００１０】
図１は、従来用いられているストーマベルト１００の外観を示す。図２、図３は本考案の実施例１のストーマベルト２００の外観であり、とくに図３は、本考案のストーマベルト２００において、面ファスナーを剥がし、舌状の接続片を持ちあ上げ、切込み部の形状が見えるよう露出させた図である。
【００１１】
図１に示すように従来用いられているストーマベルト１００の円形開口部５は、固定形状であるので、ストーマに合わせて、例えば口径６ｃｍ、７ｃｍ、８ｃｍ等、口径毎に異なるストーマを準備する必要があった。
【００１２】
本考案のストーマベルト２００の場合には、図３に示すように、切込み部２０を有しており、右側折り返し部４０は舌状の接続片を構成し、その裏面側（図３では折り返しているので、表面側に見えるが）には、面ファスナーのフック面を構成する素材４１が、四隅丸の矩形状に縫いつけてある。また、切込み部２０の左側部３０の表面には、面ファスナーのループ面を構成する素材３１が縫い付けてある。
【００１３】
したがって、図２に示すように舌状の接続片４０が、切込み部２０覆う様にして、切込み部２０の左側部３０上に押しつけられると舌状の接続片４０の裏面の面ファスナーのフック面４１と左側部３０の面ファスナーのループ面３１が密着し、開口部５に差し込まれたストーマをその口径によらず、しっかりと格納し、保持することができる。
【００１４】
なお、ストーマベルト１００、ストーマベルト２００及び後述のスマートベルト３００において、円形開口部５を有する中央部６は、やや硬めのポリエステルを芯として構成され、右帯部７および左帯部９は、伸縮性を有する素材、たとえばポリエステルに伸縮性を与えるための細かい穴をあけた素材を使用しており、右帯部７の最右端近傍の裏面８には面ファスナーのフック面を形成するナイロン系の素材を使用しており、左帯部９の表面には、面ファスナーのループ面を形成するナイロン系の素材を使用している点は共通である。しかしながら、ここで例示した素材は、一例であって、これに限定されるものではない。
【実施例２】
【００１５】
本考案の第２の実施例を図４、図５及び図６に示す。図５に示すように本実施例２においては、切り込み部２０が円形開口部５の円周縁とストーマベルトの長手方向の上下両側端との間に２つ形成されているため、本考案のストーマベルト３００は円形開口部５で二つに切り離され、右側部３１０と左側部３２０を構成する。
【００１６】
図６に切り離された右側部分３１０の裏面を示す。図６に示すように、舌状の接続片４０の裏面には、四隅が丸みを帯びた矩形状の面ファスナーのフック面をなす素材４１が縫い付けてあり、切り離された左側部分３２０の円形開口部周辺５において、上述の舌状の接続片４０に対応する部分には、面ファスナーのループ面をなす素材３１が縫い付けてある。
【００１７】
したがって、図４に示すように、右側部３１０が左側部３２０の上に覆い被さる様に重ねられると面ファスナーのフック面４１とループ面３１によって、右側部３１０と左側部３２０は密着し、円形開口部５を構成する。構成される円形開口部５が使用するストーマの口径に丁度合うように両側部３１０、３２０を重ね合わせることにより、任意の口径のストーマをしっかりと格納し、保持することができる。
【００１８】
しかも、従来のストーマベルトでは、ベルト着用の際に、ストーマを開口部の穴に通す必要がり、またベルトをはずす時には、ストーマを穴から抜き出す作業をしなければならなかったが、本実施例１の場合には、ストーマを保持するための開口部に切り込み込みがあり、実施例２の場合は、開口部が２つの部分に分離しているので、いずれの場合も、ベルト着用に際し、ストーマを穴に通す必要がなく、また外すときにストーマを穴から抜き出す作業が不要であり、非常使いやすいという効果がある。
【００１９】
以上、本考案を実施例１及び２によって説明したが、本考案はこれに限定されるものではなく、切り離された右側部、左側部の形状は、フック形状やＬ字形状等であってもてもよい。また、密着には、面ファスナーを使用することで説明したが、密着性が担保されれば、これに限定されないことは言うまでもない。
【図面の簡単な説明】
【００２０】
【図１】従来技術のストーマベルト
【図２】実施例１のストーマベルトの外観
【図３】実施例１のストーマベルトの切込み部
【図４】実施例２のストーマベルトの外観
【図５】実施例２のベルト左右側部
【図６】実施例２の右側部の裏面
【符号の説明】
【００２１】
５      円形開口部
６      ベルト中央部
７      ベルト右帯部
８      ベルト右帯部の面ファスナーフック部
９      ベルト左帯部
２０    切込み部
３０    舌状接続片の受け部
３１    受け部の面ファスナーループ部
４０    舌状接続片
４１    舌状接続片の面ファスナーフック部
１００    従来技術のストーマベルト
２００    実施例１のストーマベルト
３００    実施例２のストーマベルト
３１０    実施例２のストーマベルトの右側部
３２０    実施例２のストーマベルトの左側部
【図１】
0003153484.tif 000003
【図２】
0003153484.tif 000004
【図３】
0003153484.tif 000005
【図４】
0003153484.tif 000006
【図５】
0003153484.tif 000007
【図６】
0003153484.tif 000008
【手続補正書】
【提出日】平成21年7月8日(2009.7.8)
【手続補正１】
【補正対象書類名】実用新案登録請求の範囲
【補正対象項目名】全文
【補正方法】変更
【補正の内容】
【実用新案登録請求の範囲】
【請求項１】
ベルトの円形開口部の円周縁と該ベルトの長手方向側端との間に切り込みがあることを特徴とするストーマベルト。
【請求項２】
請求項１に記載のベルトであって、
切り込み部を覆う様に、切込み部の片側より舌状の接続片が形成されていることを特徴とするストーマベルト。
【請求項３】
請求項２に記載のベルトであって、
舌状の接続片と切り込み部の反対側ベルト部材とが面ファスナーにより密着することを特徴とするストーマベルト。
【請求項４】
ベルトの円周開口部の円周縁と該ベルトの長手方向側端との間に切り込みが２か所あることを特徴とするストーマベルト。
【請求項５】
請求項４に記載のベルトであって、
２か所の切り込み部それぞれを覆う様に、それぞれの切り込み部の片側より舌状の接続片が形成されていることを特徴とするストーマベルト。
【請求項６】
請求項５に記載のベルトであって、
舌状の接続片と切り込み部の反対側のベルト部材とが面ファスナーにより密着することを特徴とするストーマベルト。